(57)【要約】【課題】被見守り者宅内の各種モニタ（センサ）からのデータを被見守り者の生活場所でリアルタイムで収集し、被見守り者の状態が容易に理解できる形態に収集した前記データを解析処理して見守り者端末に送信する機能を備えた被見守り者宅内端末及びその被見守り者宅内端末を用いた見守りシステムを提供する。【解決手段】被見守り者宅内(31)に設置された複数のモニタ(31-1a〜31-1c)によって収集した原データを解析処理した被見守り者の生活情報データを、通信網(32)を介して見守り者端末(33)に送信する被見守り者宅内端末であって、該被見守り者宅内端末には、前記複数のモニタによって収集した被見守り者のリアルタイムの生活情報データを処理して、被見守り者の所定期間の生活状態を表現する視覚データを含むコンテンツを作成するコンテンツ生成手段（31-2a）と、前記見守り者端末との間でデータの送受を実行する通信制御手段(31-2b)とを備えることを特徴とする被見守り者宅内端末。【選択図】  図３
2005346292.tif 000002
【特許請求の範囲】
【請求項１】
被見守り者宅内に設置された複数のモニタによって収集した原データを解析処理した被見守り者の生活情報データを、通信網を介して見守り者端末に送信する被見守り者宅内端末であって、
該被見守り者宅内端末には、前記複数のモニタによって収集した被見守り者のリアルタイムの生活情報データを処理して、被見守り者の所定期間の生活状態を表現する視覚データを含むコンテンツを作成するコンテンツ生成手段と、
前記見守り者端末との間でデータの送受を実行する通信制御手段と、
を備えることを特徴とする被見守り者宅内端末。
【請求項２】
前記コンテンツ作成手段は、見守り者端末の種類に応じた複数種類の表示画面形式を作成することを特徴とする請求項１に記載の被見守り者宅内端末。
【請求項３】
前記コンテンツ作成手段は、被見守り者の生活情報データを処理して、時間軸に沿って被見守り者が滞在した場所毎に異なる表示で連続表示することを特徴とする請求項２に記載の被見守り者宅内端末。
【請求項４】
前記被見守り者宅内端末での被見守り者の生活情報データで、異常を検出した場合には、見守り者端末に対して自動的に通報する即時通信手段を備えることを特徴とする請求項１〜３のいずれか1項に記載の被見守り者宅内端末。
【請求項５】
被見守り者宅内に設置された複数のモニタによって収集した原データを解析処理した被見守り者の生活情報データを、通信網を介して少なくとも1台の見守り者端末で受信する見
守りシステムであって、
前記被見守り者宅内に被見守り者宅内端末を設け、
該被見守り者端末には、収集した被見守り者のリアルタイムの生活情報データを処理して、被見守り者の所定期間の生活状態を表現した視覚データを含むコンテンツを作成するコンテンツ生成手段と、
前記見守り者端末との間でデータの送受を実行する通信制御手段と、
を備えることを特徴とする見守りシステム。
【請求項６】
前記見守り者端末からの指示に応じて、前記被見守り者端末での被見守り者の原データを解析処理した生活情報データにおける被見守り者の異常の検出のための、項目及び設定値を変更できることを特徴とする請求項５に記載の見守りシステム。
【発明の詳細な説明】
【技術分野】
【０００１】
本発明は、被見守り者の生活状態をモニタして見守り者端末に前記生活情報を解析処理したデータを送信する被見守り者宅内端末及びそれを用いた見守りシステムに関する。
【背景技術】
【０００２】
高齢化社会の到来により、高齢者世帯向けの各種サービスが提案されている。
その１つとして、地域で老人世帯を見守るサービスとして、老人世帯に非常コールボタンを設置し、その非常コールボタンの操作による非常通報を受信するセンターをその地域内（例えば、消防署等）に設け、老人に異常が発生した場合に、その非常コールボタンを押してもらうことで、非常通報を受信したセンターから例えば消防署員が駆けつけるシステムがある。
【０００３】
また、高齢者宅と契約者との間にサービス管理者が存在して、サービス管理者所有の情報センターで高齢者の生活情報を収集し、それを契約者が前記情報センターにアクセスして取得する見守りサービスシステムが知られている。（例えば、特許文献１参照）
【０００４】
前記見守りサービスシステムの全体構成を図１に示す。
図１において、見守りサービスを享受するサービス享受者の生活状態を検知する宅内装置１と、見守りサービスの契約を行ったサービス契約者が使用する契約者側端末２と、サービス享受者に対して各種のサービスを提供するサービス提供者が使用する提供者側端末３と、宅内装置１からの生活情報を収集、管理して各種のサービス提供を行うサービス管理装置４とが、各種通信ネットワークＮ１，Ｎ２を介して接続された構成となっている。
【０００５】
前記見守りサービスシステムでは、サービス管理装置４に対して、宅内装置１はＩＳＤＮ回線網Ｎ１によって接続されており、契約者側端末２と提供者側端末３とはインターネットＮ２によって接続されている。契約者側端末２および提供者側端末３は、一般的にはパソコンが使用される。なお、回線網Ｎ１は、ＩＳＤＮに限らず、ＣＡＴＶ、無線ＬＡＮ、ＡＤＳＬ、アナログ回線または専用の配線等を使用してももちろん良い。
【０００６】
なお、契約者側端末２や提供者側端末３が携帯電話機や簡易型携帯電話機（ＰＨＳ）等の移動体通信端末である場合、サービス管理装置４は、インターネットＮ２を介して、移動体通信端末のインターネット接続サービスやメールサービス等を行うサービスセンター５に接続される。
このサービスセンター５には、公衆回線網Ｎ３を介して各基地局６，６・・・が接続されており、各基地局６，６・・・は、そのエリア内にある契約者側端末２や提供者側端末３である移動体通信端末との間でデータの送受信を行うことになる。
【０００７】
図２は、前記見守りサービスシステムにおける宅内装置１の構成を示している。
宅内装置１は、邸宅内に配線されたＡＣ１００Ｖの電力線１１を通信路として利用し、この電力線１１に接続されたネットワークコントローラ（ＵＵＩ発信器）１２を介してＩＳＤＮ回線網Ｎ１に接続されている。
また、この電力線１１には、電力モニタ、テレビや照明等の家電製品の動作をモニタする家電品動作モニタ、浴室内に設置された温湿度センサ、水道管に取り付けられた水道センサ、玄関等に設置されるマットスイッチ、居間、トイレ、寝室、台所等に設置される人感センサ、サービス享受者が自発的に操作する押しボタンスイッチなどが接続されている。
【０００８】
電力モニタは、サービス享受者の電力利用状況が日頃と違わないかを把握する。
家電品動作モニタは、サービス享受者が日頃から利用している電気製品の利用時間等から、生活がいつもと違わないかを見守るセンサである。
水道センサは、サービス享受者の水道利用の時刻や利用時間がいつもと違わないかを見守るセンサである。
マットスイッチや人感センサは、サービス享受者の生活パターンがいつもと違わないかを見守るセンサであり、トイレや風呂の使用時間、外出および帰宅の状況、特定の部屋の滞在時間、起床時刻や就寝時刻などを把握する。
【０００９】
ネットワークコントローラ１２は、上記した各種モニタやセンサからの生活情報にかかわる信号を入力して、サービス享受者の生活行動に関する解析データを作成し、この解析データを生活情報として、あるいは異常の検出情報として、ＩＳＤＮ回線網Ｎ１を介してサービス管理装置４に送信する。
また、押しボタンスイッチが押された場合には、緊急信号をＩＳＤＮ回線網Ｎ１を介してサービス管理装置４に送信する。
【００１０】
【特許文献１】特許第３４９５６９２号  （００１９）〜（００２５）
【発明の開示】
【発明が解決しようとする課題】
【００１１】
前記従来の見守りサービスシステムでは、システムを運営する事業母体（サービス管理者）が必須であり、事業母体が確立するまでは、利用者はサービスを受けることができない。
そして、このような見守りサービスシステムの場合には、事業母体はシステムを設立する初期に情報センターを構築する必要があり、多大な費用を必要とする場合がある。
【００１２】
なお、見守りサービスシステムが多くのユーザ（利用者）を見込める大規模なシステムの場合には、事業母体は情報センターの構築及び運営に掛かる費用の負担をユーザ（利用者）に分担できて効率の良いシステムとなる。
しかし、ユーザの数が小さい小規模なシステムの場合には、事業母体及びユーザの両方に負担がかかり、情報センターを設けるシステムのメリットを活かすことが難しい。
【００１３】
本発明の課題（目的）は、被見守り者宅内の各種モニタ（センサ）からのデータを被見守り者の生活場所でリアルタイムで収集し、被見守り者の状態が容易に理解できる形態に収集した前記データを解析処理して見守り者端末に送信する機能を備えた被見守り者宅内端末及びその被見守り者宅内端末を用いた見守りシステムを提供することにある。
【課題を解決するための手段】
【００１４】
前記課題を解決するために、被見守り者宅内に設置された複数のモニタによって収集した原データを解析処理した被見守り者の生活情報データを、通信網を介して見守り者端末に送信する被見守り者宅内端末であって、該被見守り者宅内端末には、前記複数のモニタによって収集した被見守り者のリアルタイムの生活情報データを処理して、被見守り者の所定期間の生活状態を表現する視覚データを含むコンテンツを作成するコンテンツ生成手段と、前記見守り者端末との間でデータの送受を実行する通信制御手段とを備えることを特徴とする。（請求項１）
【００１５】
上記構成の被見守り者宅内端末を利用することによって、従来の見守りサービスシステムでは必須であった見守りサービスを提供する事業母体（サービス管理者）の存在しない地域でも、利用者単体で安価な見守りサービスが実現できる。
【００１６】
また、前記コンテンツ作成手段は、見守り者端末の種類に応じた複数種類の表示画面形式を作成することを特徴とする。（請求項２）
また、前記コンテンツ作成手段は、被見守り者の生活情報データを処理して、時間軸に沿って被見守り者が滞在した場所毎に異なる表示で連続表示することを特徴とする。（請求項３）
また、前記被見守り者宅内端末での被見守り者の生活情報データで、異常を検出した場合には、見守り者端末に対して自動的に通報する即時通信手段を備えることを特徴とする。（請求項４）
【００１７】
被見守り者宅内に設置された複数のモニタによって収集した原データを解析処理した被見守り者の生活情報データを、通信網を介して少なくとも1台の見守り者端末で受信する
見守りシステムであって、前記被見守り者宅内に被見守り者宅内端末を設け、該被見守り者端末には、受信した被見守り者のリアルタイムの生活情報データを処理して、被見守り者の所定期間の生活状態を表現した視覚データを含むコンテンツを作成するコンテンツ生成手段と、前記見守り者端末との間でデータの送受を実行する通信制御手段とを備えることを特徴とする。（請求項５）
【００１８】
また、前記見守り者端末からの指示に応じて、前記被見守り者端末での被見守り者の原データを解析処理した生活情報データにおける被見守り者の異常の検出のための、項目及び設定値を変更できることを特徴とする。（請求項６）
【発明の効果】
【００１９】
請求項１〜６に記載の被見守り者宅内端末及び見守りシステムによれば、以下の特徴点がある。
(a)サービス運用事業者が存在しなくても、エンドユーザはシステムを利用可能である。
(b)サーバシステムに対する投資が不要（処理能力の高い機器不要、センタ施設不要）で
ある。
(c)サーバシステムの維持管理が不要（管理者不要、センタ回線不要）である。
(d)ユーザは、事業者都合に縛られず、ユーザ主導で自由に利用することが可能である。
(e)アクセス集中が発生しないため、機器構成、回線設計が容易になる。
(f)複雑なデータの関連性を保持する必要が無く、データベースを簡略化できる。
(g)システム全体として、アプリケーションが簡略化される。
(h)個人情報を第三者に預けないため、情報流出のリスクを下げることができる。
(i)ボトルネックとなるサーバのトラフィック集中を考慮する必要が無く、全てのデータ
を遅滞なく処理することが出来る。
(j)データ処理部が視覚用データを生成する際に、同一機器にデータ保持部があるため、
応答性が向上する。
【発明を実施するための最良の形態】
【００２０】
図３は、本発明の見守りシステムの全体構成を示す概略図である。
図３の見守りシステムは、見守りサービスを享受する被見守り者宅３１内における被見守り者の生活状態を検知する複数のモニタ（センサ）３１−１ａ〜３１−１ｎと、該複数のモニタの出力をリアルタイムで収集・処理する機能及び通信機能を備えた被見守り者宅内端末３１−２と、通信網３２を介して接続される見守り者端末３３とによって構成されている。
前記被見守り者宅内端末３１−２には、少なくともコンテンツ作成部（手段）３１−２ａと通信部(手段)３１−２ｂとを含んでいる。
【００２１】
本発明における被見守り者のデータは、以下の３階層のデータ構造を採用している。
・レベル１．「原データ」        ：各種モニタから検出された出力値やデータ。
・レベル２．「生活情報データ」 ：原データを解析処理して、意味づけを行ったデータ
で、このデータを基に情報種別や緊急度が定義される。
なお、情報種別としては、生活パターン情報、生活異変情報、セキュリティ情報、メ
ンテナンス情報等がある。
また、通知の方法としては、即時通知（緊急時）、バッチ通知等がある。
・レベル３．「視覚データ」      ：各種モニタから得られた原データ及び生活情報デー
タと時間情報とを適宜組み合わせて、見守り者端末  
の表示部に一意に再現できるデータである。
なお、視覚データとしては、文章、図、表、グラフ、画像等のサイズや修飾情報を含
む形式で記述されたものやイメージデータとして扱うものを含む。
【００２２】
被見守り者宅内端末には、見守り者が視覚データとして受け取る電子文書のデータを生成するする電子文書生成機能（ＨＴＭＬ，ＸＭＬ等）（コンテンツ作成機能）、見守り者が本物であることを確認する認証機能、通信部が見守り者に対してプッシュ型でお知らせするためのお知らせデータ生成機能（Ｅメール、インスタントメッセージ等）、作成したお知らせデータを特定のプロトコルに従って送信するお知らせデータ送信機能を備えるのが望ましい。
また、被見守り者宅内端末には、Ｗｅｂサーバ、Ｅメール送信機能を備えるのが望ましい。
通信部３１−２ｂには、ＬＡＮ，電話回線、携帯電話回線、光ファイバ回線等に対応するため、ＲＳ２３２ＣまたはＵＳＢ、及びＮＩＣ（Network-Inerface-Card）のインタフ
ェースを備えるのが望ましい。
【００２３】
また、通信部にスピーカ及びマイクを設置すると共に、コンテンツ生成部に、ＶｏＩＰ（Voice-over-IP）に対応したアプリケーションを実装して、被見守り者の異常発生時に
、ヒューマンインタフェースによる操作によって双方向通話を実現する機能を備えるのが望ましい。
【００２４】
また、通信部には、押しボタン、タッチスイッチ等の被見守り者の意志を伝えるためのスイッチを設けて、このスイッチがONにされた際には、被見守り者宅内端末に通知する機能を備えるのが望ましい。
【００２５】
見守り者端末３３は、見守り者の自宅に設置されたパーソナルコンピュータや移動体通信端末（ＰＨＳ，携帯電話、ＰＡＤ等）の何れでも良い。
また、見守り者端末は、１個ではなく、複数の見守り者端末を併用することも可能であり、通信網としては有線（光ファイバを含む）又は無線での公衆回線、専用回線及びインターネットを含む。
【００２６】
図４は、本発明における被見守り者宅３１の宅内における構成を示している。
被見守り者宅３１は、宅内に配線されたＡＣ１００Ｖの電力線１１を通信路として利用し、この電力線１１に接続された複数のモニタ１１ａ〜１１ｎの検出出力を、被見守り者宅内端末３１−２で解析処理して通信網３２を介して見守り者端末３３に出力される。
また、この電力線１１には、図２と同様に電力モニタ、テレビや照明等の家電製品の動作をモニタする家電品動作モニタ、浴室内に設置された温湿度センサ、水道管に取り付けられた水道センサ、玄関等に設置されるマットスイッチ、居間、トイレ、寝室、台所等に設置される人感センサ、被見守り者が自発的に操作する押しボタンスイッチなどが接続されている。
【００２７】
また、被見守り者が見守り者と会話するために使用するマイク、スピーカを設けたり、被見守り者宅内を撮影するカメラを設けることも可能である。
さらに、図４には示されていないが、ガラスブレイクセンサ、火災センサ、ガスセンサ等のセキュリティに関するセンサを設置することも可能である。
【００２８】
電力モニタは、被見守り者宅の電力使用量を所定時間毎にチェックして、被見守り者の電力利用状況が日頃のパターンと変化しているか否かを判断する。
家電品動作モニタは、被見守り者が日頃から利用している電気製品（テレビ、照明器具等）の利用時間等をモニタして、被見守り者の生活パターンに変化が生じたか否かを判断するモニタである。
水道センサは、被見守り者の水道利用の時刻や使用量をチェックして、被見守り者の日頃のパターンから変化しているか否かモニタするセンサである。
マットスイッチや人感センサは、被見守り者が宅内のどこにいるかを検出するためのセンサであって、このセンサ出力によって被見守り者のトイレや風呂の使用時間、外出および帰宅の状況、特定の部屋の滞在時間、起床時刻や就寝時刻などの生活パターンを把握することができる。
【００２９】
上記説明では、各種モニタ（センサ）毎に被見守り者の日頃の生活パターンとの変化を判断する機能を備えているように説明しているが、複数のモニタ（センサ）出力を被見守り者端末３１−２で収集して、該被見守り者宅内端末に蓄積された被見守り者の日頃の生活パターンデータとの対比を総合的に実行することによって、単体のモニタ（センサ）による判断よりもより緻密な判断が可能になる。
【００３０】
本発明における被見守り者宅内端末３１−２と見守り者端末３３との間のデータの送受には、被見守り者に異常が発生した場合と、見守り者からの要求に基づくものの２種類がある。
【００３１】
被見守り者宅内端末３１−２が、被見守り者端末３３に異常が生じた場合に見守り者に対して自動的に通知する例としては以下のものが考えられる。
（１）トイレの在室時間１５分以上
（２）入浴時間３０分以上
（３）居室内連続滞在時間３時間以上
（４）在床制限（起床）時刻午前９時以降
（５）留守中の宅内進入
（６）留守中の窓・扉開閉
等の設定が可能であるが、この項目及び時間等は、被見守り者の状態に応じて適宜変更が可能である。
【００３２】
見守り者端末３３に送信される被見守り者の生活情報の表示画面（コンテンツ）は、被見守り者宅内端末のコンテンツ作成部３１−２ａで作成される。  その１例を図５に示す。
表示画面５０は、大別すると、最新情報欄５０１、状態表示欄５０２、生活パターン表示欄５０３からなっている。
最新情報欄５０１は、その情報の提供時刻とその提供時刻の前後における被見守り者の行動の様子を文書で説明する欄となっている。
また、状態表示欄５０２は、被見守り者の現在の様子を撮影した写真（又はイラスト）で表示する欄となっている。
また、生活パターン表示欄５０３は、被見守り者の生活パターンを色分けし、これを時間軸に沿って表示することで、被見守り者のその日の生活パターン（行動パターン）が一目で分かるように視覚データを含む表示欄となっている。
見守り者端末３３では、このような報告画面５０を受け取ることで、サービス享受者の現在の様子やその日１日又は複数日（前日等の過去の日も可能）の生活パターンを把握す
ることができる。
【００３３】
上記図５の表示画面（コンテンツ）は、表示される情報量が大きく、パーソナルコンピュータの如き、大きい画面端末における表示に向いている。
携帯電話（ＰＨＳを含む）等の表示画面の小さい見守り者端末の場合には、図６に示す如く、図５の表示の内の生活パターン（行動パターン）の部分の表示を携帯電話に適した形式にすることも可能である。
【００３４】
なお、被見守り者宅内端末からの図５と図６の送信データの区別は、見守り者端末を判別することによって行う。
【００３５】
次に、被見守り者宅内端末を中心とした被見守り者宅内のシステム構成の詳細な１例を図７を用いて以下に説明する。
図７において、７１ｅは、図４の電力線１１に相当するもので、被見守り者宅内に設置されたセンシング部７１ｄの各種センサ（カメラ、マイク、スイッチを含む）から検出された生活情報を収集して後述の被見守り者端末７１に伝送する宅内通信網である。
センシング部のセンサの内人感センサは必須であり、その他の各種センサは必要に応じて設置することが望ましい。
なお、電力線通信の他に、有線・無線等の他の通信手段を用いても良い。
【００３６】
７１は被見守り者宅内端末であって、本発明における中心的部分であって、必須の構成として信号処理部７１ａ、データ処理部７１ｂ及びデータ保持部７１ｃを備えている。
なお、拡張機能であるヒューマンインタフェース部７１ｆ及び信号管理部７１ｇを被見守り者宅内端末の構成要素としても良い。
【００３７】
前記信号処理部７１ａには、宅内通信情報解析部７１ａ１、コンテンツ作成部７１ａ２、時刻管理部７１ａ３及び即時通信データ作成部７１ａ４を備えている。
この信号処理部は、宅内通信網を介して得られるセンシング部からの被見守り者のデータ（生活情報）を解析処理して後述のデータ処理部を介して見守り者端末に送出する。
【００３８】
宅内通信解析部７１ａ１では、宅内通信部を介して得られるセンシング部からの被見守り者のデータ（生活情報）を宅内移動検出、外出／帰宅検出、睡眠・起床検出、長期滞留検出、移動時間間隔検出、活動量検出、ホームセキュリティ等の観点から解析処理する機能を備えている。
【００３９】
コンテンツ作成部７１ａ２では、前記宅内通信解析部で解析処理されたデータを基に、図５又は図６に示す如き、見守り者が理解し易い形態の文字及び図表を用いた表示形態を実現する機能を備えている。
即時通信データ作成部７１ａ３は、前記宅内通信情報解析部での解析結果から、被見守り者端末３３に異常が生じたと判断した場合に、見守り者端末に対して即時的に送信するデータのトリガ、及び、内容情報を作成する機能を備えている。
時刻管理部７１ａ３は、被見守り者宅内端末の時刻情報を管理する。
データ保持部７１ｃは、前記信号処理部７１ａのコンテンツ作成部７１ａ２や即時通信データ作成部７１ａ４が生成したデータや各種情報を保持する。
データ保持部の記憶要素としては、CF等のメモリメディア、DISK,FlashROM、RAM等の内の１個或いは複数を搭載することが望ましい。
【００４０】
データ処理部７１ｂは、コンテンツ作成部及び即時通信データ作成部で作成されたデータを、コミューニケーション用アプリケーション７１ｂ５を用いて、コンテンツ送信部７１ｂ２及び即時通信データ送信部７１ｂ３により見守り者端末に送信する機能を備えてい
る。
参照時刻取得部７１ｂ１は、コンテンツ送信部７１ｂ２、即時通信データ送信部、即時通信データ受信部７１ｂ４及び各種コミューニケーション用アプリケーション（プログラム）の動作時刻を管理している。
各種コミューニケーション用アプリケーション（プログラム）としては、Ｗｅｂページ、Ｅメール、インスタントメッセージ等及び専用アプリケーションの内の１個或いは複数を搭載することが望ましい。
【００４１】
拡張機能である、ヒューマンインタフェース部７１ｆは、見守り者端末と宅内の被見守り者が操作部の操作によって被見守り者と直接会話をするための機能である。
また、拡張機能である、信号処理管理部７１ｇには、本発明の見守り者システムのプログラムのバージョン管理を行うと共に、古いバージョンのプログラムを新しいバージョンのプログラムに入れ替えを実行する機能である。
【００４２】
宅外通信網７２は、被見守り者宅内端末７１と見守り者端末との間の通信手段（通信網）であって、ISDN、PSTN、ADSL、PDC，PHSパケット網、有無線LAN、CATV-IP、光ファイバーIP等の１種或いは複数種を備えることが望ましい。
【産業上の利用可能性】
【００４３】
本発明の被見守り者宅内端末及びそれを用いた見守りシステムでは、被見守り者宅内の各種モニタ（センサ）からのデータを被見守り者の生活場所でリアルタイムで収集して、処理する機能を宅内端末に持たせ、通信網を介して見守り端末から直接アクセスすることによって、当該見守り端末の表示部に被見守り者の所定期間の生活状態を表現した表示画面を含むリアルタイム性の高い表示形態で被見守り者の情報を取得できるので、産業上の利用可能性は極めて大きい。
【図面の簡単な説明】
【００４４】
【図１】図１は、従来の見守りシステムの全体構成を示す概略図である。
【図２】図２は、従来の被見守り者宅の宅内における構成を示す図である。
【図３】図３は、本発明の見守りシステムの全体構成を示す概略図である。
【図４】図４は、本発明における被見守り者宅の宅内における構成を示す図である。
【図５】図５は、表示される情報量が大きい画面端末におけるコンテンツの表示例を示す図である。
【図６】図６は、表示される情報量が大きい画面端末におけるコンテンツの表示例を示す図である。
【図７】図７は、本発明の被見守り者宅内端末を中心とした被見守り者宅内のシステム構成の詳細な１例を示す図である。
【符号の説明】
【００４５】
３１：被見守り者宅、３１−１ａ〜３１−１ｎ：モニタ、３１−２：被見守り者宅内端末、３１−２ａ：コンテンツ作成部、３１−２ｂ：通信部、３２：通信網、３３：見守り者端末
【図１】
2005346292.tif 000003
【図２】
2005346292.tif 000004
【図３】
2005346292.tif 000005
【図４】
2005346292.tif 000006
【図５】
2005346292.tif 000007
【図６】
2005346292.tif 000008
【図７】
2005346292.tif 000009